(57)【要約】【課題】既設の自動販売機に対して、何ら専門的な知識や工事を要することなく、その自動販売機の商品展示部をソーラーパネルに基づく電力で、照明が必要な環境時にのみ照明して、商用電力に対する節電を有効に図ることができる自動販売機用照明装置を提供する。【解決手段】ソーラーパネル３０と、このソーラーパネル３０の発電電力を蓄電する充電電池と、この充電電池の電力で点灯するＬＥＤ２９とを一体的に備えるユニット構造物に構成され、このユニット構造物が自動販売機の商品展示部３内に取付けられ、太陽光の入射があるときには、ソーラーパネル３０の発電で充電電池に電力が蓄電され、太陽光の入射が途絶し、感光センサの周辺の照度が低下して感光センサがオフしたときに、制御手段の制御で充電電池の電力によりＬＥＤ２９が点灯し、その点灯の光で前記商品展示部３内が照明される。【選択図】    図５
0003171496.tif 000002
【実用新案登録請求の範囲】
【請求項１】
太陽光のエネルギーの入射を受けて発電するソーラーパネルと、このソーラーパネルの発電による電力を蓄電することが可能なバッテリーと、このバッテリーに蓄電された電力で点灯することが可能な光源と、前記ソーラーパネルに対する太陽光のエネルギーの入射が所定値を超えるときには、その発電で前記蓄電池に電力を蓄電し、かつ前記光源を消灯状態に保持し、太陽光のエネルギーの入射が所定値以下に低下したときに、前記バッテリーの電力で前記光源を点灯させる制御を行なう制御手段とを一体的に備えるユニット構造物に構成され、そのユニット構造物が自動販売機の商品展示部内に取付けられ、太陽光のエネルギーの入射があるときには、前記ソーラーパネルの発電で前記バッテリーに蓄電し、太陽光のエネルギーの入射が所定値以下に低下したときに、前記制御手段の制御で前記バッテリーの電力で前記光源を点灯させ、その点灯の光で前記商品展示部内を照明することを特徴とする自動販売機用照明装置。
【請求項２】
前記制御手段は、周辺の照度を感知してオンオフする感光センサを備え、この感光センサに基づいて前記ソーラーパネルに入射する太陽光のエネルギーの量を判断し、その判断で前記バッテリーから前記光源への電力の供給をオンオフすることを特徴とする請求項１に記載の自動販売機用照明装置。
【請求項３】
マグネットを介して前記商品展示部の背面材に脱着可能に取付けることが可能であることを特徴とする請求項１又は２に記載の自動販売機用照明装置。
【請求項４】
方向変換機構を備え、この方向変換機構により前記ソーラーパネルの向きを調整することが可能であることを特徴とする請求項１、２又は３に記載の自動販売機用照明装置。
【考案の詳細な説明】
【技術分野】
【０００１】
この考案は、自動販売機の商品展示部に展示された商品見本を、商用電源を用いずに節電を踏まえて照明する自動販売機用照明装置に関する。
【背景技術】
【０００２】
店頭や街路沿いなどに設置される自動販売機は、前面に商品展示部を有し、この商品展示部内に缶や壜などの商品見本が多数並べて展示されている。そして商品展示部に蛍光灯やＬＥＤ（発光ダイオード）などの光源が配設され、その光源が商用電源により点灯され、各商品見本が照明される。
【０００３】
ところで、昨今、先の原発事故による影響で電力不足が懸念され、各地区、各業界に対して節電の励行が広く求められている。日本の各地区には相当莫大な台数の自動販売機が設置されており、その各自動販売機で消費される照明用電力は相当の量にのぼる。
【０００４】
そこで、昨今では、節電の観点から、昼間の明るい時間帯には、自動販売機の管理者が照明用電源を遮断し、夜間にのみ電源を投入して電力不足に対応することが試みられている。
【０００５】
しかしながら、莫大な台数の自動販売機の一台ごとに、その都度、手作業で電源を遮断したり投入したりする作業には、手間がかかり、能率が悪く、また電源の遮断や投入を忘れてしまい、節電に役立たないこともある。さらに、自動販売機の照明用電源を夜間を含む一日を通して遮断して節電を図ることもあるが、これでは夜間には商品展示部の見本商品を有効に表示することが困難となるばかりでなく、自動販売機の存在自体を遠方から認識させることができなくなる。
【０００６】
一方、特開２００９―２９５０７７公報に見られるように、自動販売機の稼動用の電力源としてソーラーパネル（太陽光発電パネル）を用いることが提案されている。ソーラーパネルを用いれば、商用電源の節電に役立つ。
【先行技術文献】
【特許文献】
【０００７】
【特許文献１】特開２００９―２９５０７７号公報
【考案の概要】
【考案が解決しようとする課題】
【０００８】
しかしながら、従来においては、自動販売機の本体の外に比較的規模の大きなソーラーパネルを設置し、そのソーラーパネルと自動販売機の受電部との間を配線で接続して電力を供給するようにしている。
【０００９】
このため、店頭や街路沿いなどに既に設置されている自動販売機を対象とするときには、その自動販売機の周辺部や上方部にソーラーパネルを設置するためのスペースを確保しなければならず、またその設置には専門的作業を要し、さらに配線のための専門的な電気工事を必要とし、既に設置されている莫大な量の各自動販売機に適用しようとすれば、相当のコスト、各種の手間、期間がかかってしまう。そしてソーラーパネルが風雨にさらされるため、その風雨でソーラーパネルが損傷や破損したりする恐れもあり、また屋外に設置されるためいたずらによって破損される恐れもある。
【００１０】
この考案は、このような課題に着目し、既設の自動販売機に対して、何ら専門的な知識や工事を要することなく、簡易にかつ破損の恐れなく設置して、その自動販売機の商品展示部をソーラーパネルに基づく電力で、照明が必要な環境時にのみ照明して商用電源に対する節電を有効に図ることが可能となる自動販売機用照明装置を提供することを目的としている。
【課題を解決するための手段】
【００１１】
この考案の照明装置は、太陽光のエネルギーの入射を受けて発電するソーラーパネルと、このソーラーパネルの発電による電力を蓄電することが可能なバッテリーと、このバッテリーに蓄電された電力で点灯することが可能な光源と、前記ソーラーパネルに対する太陽光のエネルギーの入射が所定値を超えるときには、その発電で前記蓄電池に電力を蓄電し、かつ前記光源を消灯状態に保持し、太陽光のエネルギーの入射が所定値以下に低下したときに、前記バッテリーの電力で前記光源を点灯させる制御を行なう制御手段とを一体的に備えるユニット構造物に構成され、そのユニット構造物が自動販売機の商品展示部内に取付けられ、太陽光のエネルギーの入射があるときには、前記ソーラーパネルの発電で前記バッテリーに蓄電し、太陽光のエネルギーの入射が所定値以下に低下したときに、前記制御手段の制御で前記バッテリーの電力で前記光源を点灯させ、その点灯の光で前記商品展示部内を照明することを特徴としている。
【００１２】
前記制御手段は、周辺の照度を感知してオンオフする感光センサを備え、この感光センサに基づいて前記ソーラーパネルに入射する太陽光のエネルギーの量を判断し、その判断で前記バッテリーから前記光源への電力の供給をオンオフする構成とすることが可能である。
【００１３】
この照明装置は、マグネットを介して前記商品展示部の背面材に脱着可能に取付けることが可能であり、また方向変換機構を備え、この方向変換機構により前記ソーラーパネルの向きを調整することが可能である。
【考案の効果】
【００１４】
この考案の照明装置によれば、昼間及びその前後の明るい時間帯には、太陽光がソーラーパネルに入射し、そのエネルギーでソーラーパネルが発電し、その電力が制御手段による制御でバッテリーに蓄電される。
【００１５】
一方、夜間近くになり、自動販売機の周辺が暗くなると、ソーラーパネルに入射する太陽光のエネルギーが所定値以下に低下し、これに応じて制御手段による制御でバッテリーから光源に通じる通電回路がオンし、そのバッテリーの電力で光源が自動的に点灯し、その点灯による光で商品展示部内が照明される。したがって、夜間の暗い時間帯であっても、商品展示部内の見本を明るく照らして表示することができる。
【００１６】
さらに、夜が明け、太陽が昇り、自動販売機の周辺が所定値を超える照度にまで明るくなると、ソーラーパネルに入射する太陽光のエネルギーが所定値を超える状態となり、これによりソーラーパネルが発電し、バッテリーが充電され、また制御手段の制御でバッテリーから光源に通じる通電回路がオフし、光源が消灯する。
【００１７】
そして、このようなサイクルが毎日繰り返され、したがって光源の点灯でバッテリーの蓄電電力が減少しても、その後のソーラーパネルの発電で自動的に電力がバッテリーに充電され、このため長期間に渡って手間をかけることなく照明装置を稼動させることができ、また商用電源を使用しないから有効な節電を図ることができる。
【００１８】
この照明装置は、一体的なユニット構造物に構成され、そのユニット構造物を自動販売機の商品展示部内に取付けるだけで、周辺が暗くなる時間帯に自動的に光源を点灯させて見本を照明することができる。そしてこの照明装置の取付けに当っては、何ら専門的な知識や工事を何ら要することがなく、したがって既設の莫大な量の各自動販売機に対しても容易に能率よく、かつ低コストで適用することができる。また、この照明装置は、自動販売機の商品展示部内に収納されるから、風雨で損傷したり破損したりする恐れがなく、さらにいたずらで破損されるような恐れもない。
【図面の簡単な説明】
【００１９】
【図１】この考案の一実施形態に係る照明装置を自動販売機の商品展示部内に取付けた状態を示す正面図。
【図２】その照明装置の側面図。
【図３】その照明装置の平面図。
【図４】その照明装置の制御回路の構成を示すブロック図。
【図５】その照明装置を商品展示部の背面材に取付けた状態を拡大して示す斜視図。
【図６】この考案の他の実施形態に係る照明装置を示す側面図。
【考案を実施するための形態】
【００２０】
以下、この考案の実施形態について図面を参照して説明する。
【００２１】
図１には自動販売機の正面図を示してあり、この自動販売機は前面に開口を有する筐体１と、この筐体１の前面に回動可能に取付けられ、その回動で前記開口を開閉することが可能な扉体２とを備え、前記筐体１内に販売用の各種の商品が収納されている。扉体２の前面には、上部に商品展示部３が、中間部に操作部４が、下部に商品取出口５が設けられている。なお、この自動販売機は店頭や街路沿いなどの屋外に設置されている。
【００２２】
扉体２の前面の操作部４には、コイン投入口７、紙幣挿入口８、つり銭返却レバー９、金額表示部１０などが設けられている。商品展示部３は、扉体２の表面より後部側に凹む凹部形状の背面材１３を備えて構成され、少なくとも背面材１３がスチール材となっている。そしてこの商品展示部３内に販売用の各種の商品の見本１４が多数横に並んで複数段に配列されている。商品展示部３の前面には透明な合成樹脂製の展示カバー１５が設けられ、この展示カバー１５で各見本１４が覆われている。展示カバー１５は商品展示部３に回動可能に、あるいは脱着可能に取付けられ、その回動あるいは脱着により商品展示部３の前面を開閉して見本１４の交換などを行なえるようになっている。また、展示カバー１５の前面には、各見本１４に対応する位置にそれぞれ選択ボタン１６が設けられ、これら選択ボタン１６を操作することで、購入する商品を選択することが可能となっている。
【００２３】
商品展示部３内には各見本１４を照明するためのユニット式の照明装置２０が脱着可能に取付けられている。この照明装置２０の構造を図２〜図５に示してある。この照明装置２０はボックス状の本体２１を有し、この本体２１内にバッテリーとしての充電電池（二次電池）２２、及び制御手段としての制御回路基板２３が収納されている。
【００２４】
本体２１の一面はパネル保持部２６、その反対側の面は取付け部２７となっている。そしてパネル保持部２６に隣接する本体２１の他の一つの面は光源部２８となっている。パネル保持部２６には太陽光エネルギーを受けて発電するソーラーパネル３０が装着され、このソーラーパネル３０の発電電力が本体２１内の充電電池２２に蓄電される。さらにソーラーパネル３０の下側には、シート状の感光センサ３１が重ねて取付けられている。
【００２５】
この感光センサ３１は、本体２１の周辺の照度が所定値以下にまで低下した際、すなわちソーラーパネル３０に入射する太陽光のエネルギーが所定値以下にまで低下した際に、それを感知して信号を出力するようになっている。なお、感光センサ３１は、ソーラーパネル３０に重ねて設ける場合に限らず、本体２１の他の側面などに設ける場合などであってもよい。
【００２６】
本体２１の光源部２８には、充電電池２２に蓄電された電力に基づいて点灯する光源としてのＬＥＤ（発光ダイオード）２９が取付けられている。ＬＥＤ２９は、一つでも複数でもよく、その数は任意である。
【００２７】
本体２１の取付け部２７には方向変換機構３３を介してベースプレート３４が取付けられている。方向変換機構３３は、二組の脚片３３ａ，３３ｂを有し、その二組の脚片３３ａ，３３ｂの一端部相互がピン３５を介して回動可能に連結され、一方の脚片３３ａの他端部が本体２１の取付け部２７にピン３６を介して回動可能に連結され、他方の脚片３３ｂの他端部がピン３７を介してベースプレート３４に回動可能に連結され、その二組の脚片３３ａ，３３ｂが互いに屈伸することで本体２１とベースプレート３４との間の間隔を調整し、さらに脚片３３ａ，３３ｂに対して本体２１やベースプレート３４を回動することで、ベースプレート３４に対する本体２１の向き、つまりソーラーパネル３０の向きを調整することが可能となっている。そして脚片３３ｂの反対側であるベースプレート３４の裏面にはシート状のマグネット３９が取付けられている。
【００２８】
図４には制御回路の構成を示してあり、本体２１内に設けられた制御回路基板２３は制御部４０を有し、この制御部４０に充電電池２２、ソーラーパネル３０、感光センサ３１、ＬＥＤ２９が接続され、ソーラーパネル３０の発電時にはその電力が制御部４０による制御で充電電池２２に蓄電される。
【００２９】
このようにこの照明装置２０は、一体的なユニット構造物に構成されている。そしてこの一体的なユニット構造物である照明装置２０は、図５に示すように、自動販売機の商品展示部３内に取付けられて使用される。照明装置２０の取付けに当っては、商品展示部３の展示カバー１５を開き、照明装置２０のベースプレート３４を背面材１３の側面部にマグネット３９を介して吸着させることにより固定し、さらにソーラーパネル３０が太陽の入射方向に向き、ＬＥＤ２９が商品展示部３内の見本１４に向くように本体２１の方向を方向変換機構３３を介して調整し、この調整後に展示カバー１５を閉じる。なお、商品展示部３内を照明する蛍光灯などの光源が配設されている場合には、その通電回路を切り、非点灯状態を保持する。
【００３０】
この状態において、昼間及びその前後の明るい時間帯には、太陽光がソーラーパネル３０に入射し、その光エネルギーがソーラーパネル３０を介して電気エネルギーに変換される発電が行なわれ、その発電の電力が制御部４０による制御で充電電池２２に蓄電される。そしてこの明るい時間帯、つまりソーラーパネル３０に入射する太陽光のエネルギーが所定値を超える状態にあるときには、感光センサ３１が所定値を超える照度を感知してオフ状態にあり、このオフ状態によりＬＥＤ２９は点灯せず、消灯状態が保持される。この明るい時間帯には、ＬＥＤ２９が消灯し商品展示部３内が照明されていなくとも、周辺が明るいから見本１４を十分に表示することができる。
【００３１】
一方、夜間近くになり、自動販売機の周辺の照度が低下して暗くなると、ソーラーパネル３０に入射する太陽光のエネルギーが所定値以下（ゼロを含む）に低下し、これに応じて感光センサ３１がオンし、その信号が制御部４０に送られる。そしてその信号に基づく制御部４０の制御で充電電池２２からＬＥＤ２９に通じる通電回路がオンし、その充電電池２２に蓄電されている電力でＬＥＤ２９が自動的に点灯し、その点灯による光で商品展示部３内の見本１４が照明される。したがって、夜間の暗い時間帯であっても、商品展示部３内の見本１４を明るく照らして表示することができる。
【００３２】
さらに、夜が明け、太陽が昇り、自動販売機の周辺が所定値を超える照度にまで明るくなると、ソーラーパネル３０に入射する太陽光のエネルギーが所定値を超える状態となり、これによりソーラーパネル３０が発電し、充電電池２２が充電され、また感光センサ３１がオフし、その信号が制御部４０に送られる。そしてその信号に基づく制御部４０の制御で充電電池２２からＬＥＤ２９に通じる通電回路がオフし、ＬＥＤ２９が消灯する。
【００３３】
そして、このようなサイクルが毎日繰り返され、したがってＬＥＤ２９の点灯で充電電池２２の蓄電電力が減少しても、その後のソーラーパネル３０の発電で自動的に電力が充電電池２２に充電され、このため長期間に渡って手間をかけることなく照明装置２０を稼動させることができ、また商用電源を使用しないから有効な節電を図ることができる。
【００３４】
なお、昼間の時間帯であっても、雨天や曇り空で、ソーラーパネル３０に入射する太陽光のエネルギーが所定値以下となっているときには、感光センサ３１がオンし、その信号が制御部４０に送られ、その信号に基づく制御部４０の制御で充電電池２２からＬＥＤ２９に通じる通電回路がオンしてＬＥＤ２９が点灯し、その点灯による光で商品展示部３内の見本１４が照明される。
【００３５】
図６にはこの考案の他の実施形態に係る照明装置２０を示してあり、この照明装置２０においては、薄箱形状のベース４３を有し、このベース４３内に充電電池２２が収納されている。ベース４３の上面の一部は開口しており、その開口部に蓋４４が脱着可能に取付けられ、充電電池２２が寿命に達したときにその蓋４４を取り外すことにより充電電池２２を交換することができるようになっている。
【００３６】
ベース４３の上面には、方向変換機構３３を介してパネル保持板４５が取付けられ、このパネル保持板４５の表面にソーラーパネル３０及びシート状の感光センサ３１が装着され、さらにこのパネル保持板４５の一側縁部にＬＥＤ２９が装着されている。ＬＥＤ２９の外周囲は透明材料で形成された保護カバー４６で覆われている。保護カバー４６は、ＬＥＤ２９の先端の光出射部と対向する部分は開口していて、ＬＥＤ２９の外周囲のみを覆う形状となっている。したがって、ＬＥＤ２９の点灯光は保護カバー４６を透過せずに直接その先方に出射する。
【００３７】
また、この照明装置２０における方向変換機構３３としてはボールジョイントが用いられ、このボールジョイントによる方向変換機構３３により、パネル保持板４５をベース４３の上面側の全方向に向ける調整が可能となっている。ベース４３の下面には、取付け手段としてシート状のマグネット３９が貼り付けられている。なお、方向変換機構３３としてはボールジョイントに代えてヒンジ機構を用いることも可能である。
【００３８】
この照明装置２０においても、前記実施形態の場合と同様に、自動販売機の展示カバー１５を開き、照明装置２０のベース４３を背面材１３の側面部にマグネット３９を介して取付け、さらにソーラーパネル３０が太陽の入射方向に向き、ＬＥＤ２９が商品展示部３内の見本１４に向くように方向変換機構３３を介して調整し、この調整後に展示カバー１５を閉じる。
【００３９】
これにより、昼間及びその前後の明るい時間帯には、太陽光がソーラーパネル３０に入射し、そのエネルギーでソーラーパネル３０が発電し、その電力が充電電池２２に蓄電される。そして、夜間近くになり、自動販売機の周辺が暗くなると、感光センサ３１がオンし、充電電池２２からＬＥＤ２９に電力が供給されて点灯し、その点灯による光で商品展示部３内の見本１４が照明される。
【００４０】
さらに、夜が明け、太陽が昇り、自動販売機の周辺が明るくなると、感光センサ３１がオフし、充電電池２２からＬＥＤ２９に通じる通電回路が遮断されてＬＥＤ２９が消灯する。またこの際、太陽光がソーラーパネル３０に入射することでソーラーパネル３０が発電し、その電力が充電電池２２に蓄電される。
【００４１】
なお、前記実施形態では、感光センサ３１を用い、ソーラーパネル３０に入射する太陽光のエネルギーが所定値以下となるタイミングをその感光センサ３１で感知し、その感知に基づいて充電電池２２の電力をＬＥＤ２９に供給して点灯させるようにしているが、例えばソーラーパネル３０で行なわれる光エネルギーから電気エネルギーに変換される変換動作量を制御部４０で検出し、その検出に基づいて充電電池２２とＬＥＤ２９との通電回路をオンオフする制御方式を採用することも可能である。すなわち、ソーラーパネル３０での光エネルギーと電気エネルギーとの変換量が所定値を超えるときには、充電電池２２からＬＥＤ２９への通電をオフ状態に保持し、光エネルギーと電気エネルギーとの変換量が所定値以下となったときに、それを検知して充電電池２２の電力をＬＥＤ２９に供給して点灯させるようにしてもよい。
【００４２】
なお、この考案の照明装置２０は、自動販売機の商品展示部３内に一つ取付ける場合に限らず、必要に応じて複数取付けることも可能であり、その取付け位置も任意に選ぶことができる。
【００４３】
以上説明したようにこの考案による照明装置２０は、一体的なユニット構造物に構成され、そのユニット構造物を自動販売機の商品展示部３内に取付けるだけで、周辺が暗くなる時間帯に自動的にＬＥＤ２９を点灯させて見本１４を照明することができる。そしてその照明装置２０の取付けに当っては、何ら専門的な知識や工事を何ら要することがなく、したがって既設の莫大な量の各自動販売機に対しても容易に能率よく、かつ低コストで適用することができる。また、この照明装置２０は、自動販売機の商品展示部３内に収納されるから、風雨で損傷したり破損したりする恐れがなく、さらにいたずらで破損されるような恐れもない。
【符号の説明】
【００４４】
３…商品展示部
１３…背面材
１４…見本
１５…展示カバー
２０…照明装置
２１…本体
２２…充電電池
２３…制御回路基板
２９…ＬＥＤ
３０…ソーラーパネル
３１…感光センサ
３３…方向変換機構
３９…マグネット
４０…制御部
４３…ベース
４４…蓋
【図１】
0003171496.tif 000003
【図２】
0003171496.tif 000004
【図３】
0003171496.tif 000005
【図４】
0003171496.tif 000006
【図５】
0003171496.tif 000007
【図６】
0003171496.tif 000008